(57)【要約】      （修正有）【課題】健康的な安眠を得られる為に構築するに欠かせない枕に取り付け、天照石から放射されるマイナスイオン、遠赤外線「育成光線」が首と首筋および肩に放射され、安眠中に体のリズムや健康維持に効果を発揮する枕カバー下用天昭石入り敷きパットを提供する。【解決手段】枕敷きシート本体１に天昭石原料７を入れる天昭石原料介在袋部を設け、枕の上部面に当る枕カバーの下面に枕カバー下用天昭石入り敷きパットを装着したことを特徴とする。【選択図】図１
0003177853.tif 000002
【実用新案登録請求の範囲】
【請求項１】
枕敷きシート本体に上部面布地及び下部面布地を設け、天昭石入り不織布本体に上部面不織布地及び下部面不織布地を設け、上部面不織布地と下部面不織布地の間に天照石原料を介在できる天昭石原料介在袋部を設けるように天照石原料を介在して不織布縦綴じシール部と不織布横綴じシール部を設け、天昭石原料介在袋部に天照石原料を介装するように設け、天昭石入り不織布本体の外周面には不織布外縁シール部を設け、枕敷きシート本体に設けた上部面布地及び下部面布地との間に天昭石入り不織布本体介在し、上部面布地及び下部面布地並びに天昭石入り不織布本体を重合し外周に縁取り布を設け係止するように縫い糸にて綴じるように縫い糸で縫成するように設け、多数の天昭石原料介在袋部に天照石原料を保持できるように装着した枕カバー下用天昭石入り敷きパット。
【請求項２】
枕敷きシート本体の形状並びに上部面布地及び下部面布地を覆っている生地および天昭石入り不織布本体の形状は固定した形状にこだわらず、市販されている様々な枕の形状に適合するように枕敷きシート本体の形状を設け、枕敷きシート本体に備えた複数の天昭石原料介在袋部に天照石原料を保持できるように装着するように設け、天昭石『国産鉱石天照石（４〜１４ミクロンの遠赤外線「育成光線」を放射する天然鉱石であり、育成光線は臨床結果は学会でも発表されてる。
また天照石は人間の体に最も効果的に作用する自然のエネルギーであり生体の代謝、育成に不可欠な波長を発していることから、天照石から放射されるマイナスイオン、遠赤外線「育成光線」が放射され、安眠中に体のリズムや健康維持に効果を発揮します』の効果引出すことができるように設けたことを特徴とする請求項１記載の枕カバー下用天昭石入り敷きパット。
【請求項３】
天昭石入り不織布本体に設けた天昭石原料介在袋部は枕の形状により、天昭石原料介在袋部の袋の量が前後することがあるが、天昭石の効果を減少することのないように天昭石原料介在袋部の形状の大小を設け、天照石原料の量は天昭石原料介在袋部の大小に介装して充填し、天昭石の効果を充分に引出すことができるように設けたことを特徴とする請求項１記載の枕カバー下用天昭石入り敷きパット。
【考案の詳細な説明】
【技術分野】
【０００１】  本考案は、健康的な安眠を得られる為に構築するに欠かせない枕に取り付け、天照石から放射されるマイナスイオン、遠赤外線「育成光線」が首と首筋および肩に放射され、安眠中に体のリズムや健康維持に効果を発揮するための枕カバー下用天昭石入り敷きパットに関するものである。
【背景技術】
【０００２】  従来、まくらの母体を形状する素材により頭、首、肩と高さや枕の母体にいれる素材、低反発マットレス素材を採用し睡眠中にかかる圧力を分散し、寝返りを減らす素材で枕母体を採用したり、小豆などを枕母体に採用したり、ウレタンなどの素材を採用したり、小豆の代わりに、プラスチックでできたビーズなど、枕母体に採用して枕の高さを調節したりして安眠軽減をしていた。
【考案の開示】
【考案が解決しようとする課題】
【０００３】  そのために、次のような問題点があった。頭、首、肩と高さを自分にあうようにピッタリ調節できる枕でないと、布団に入っても寝返りばかりでなかなか寝つけないなども加算して、朝起きた時の肩凝り首痛、肩が重い、背骨にも負担をかけ続けてしまい腰もつらいなどになり知らない間に、身体に負荷をかけ寝ながら不健康になってしまった。本考案は以上の問題点を解決する為になされたものである。
【課題を解決するための手段】
【０００４】  枕敷きシート本体に天昭石原料を入れる天昭石原料介在袋部を設け、枕の上部面に当る枕カバーの下面に枕カバー下用天昭石入り敷きパットを取り付け、天照石から放射されるマイナスイオン、遠赤外線「育成光線」が首と首筋および肩に放射され、安眠中に体のリズムや健康維持に効果を発揮するための枕カバー下用天昭石入り敷きパットである。
【考案の効果】
【０００５】  上述の様に、既存の枕に容易に取り付け出来るので、天照石から放射されるマイナスイオン、遠赤外線「育成光線」が首と首筋および肩に放射され、安眠中に体のリズムや健康維持に効果的に発揮できる。
【考案を実施するための最良の形態】
【０００６】以下本考案の実施の形態について説明する。
（イ）枕敷きシート本体（１）に上部面布地（８）及び下部面布地（９）を設け、天昭石入り不織布本体（２）に上部面不織布地（１０）及び下部面不織布地（１１）を設ける。
（ロ）上部面不織布地（１０）と下部面不織布地（１１）の間に天照石原料（７）を介在できる天昭石原料介在袋部（１３）を設けるように天照石原料（７）を介在して不織布縦綴じシール部（５）と不織布横綴じシール部（６）を設ける。
（ハ）天昭石原料介在袋部（１３）に天照石原料（７）を介装するように設け、天昭石入り不織布本体（２）の外周面には不織布外縁シール部（４）を設ける。
（ニ）枕敷きシート本体（１）に設けた上部面布地（８）及び下部面布地（９）との間に天昭石入り不織布本体（２）を介在し、上部面布地（８）及び下部面布地（９）並びに天昭石入り不織布本体（２）を重合し外周に縁取り布（３）を設け、係止するように縫い糸（１２）にて綴じるように縫い糸（１２）で縫成するように設ける。
（ホ）多数の天昭石原料介在袋部（１３）に天照石原料（７）を保持できるように装着する。
本考案は、以上の構造でこれを使用するときは、枕（１４）の上部面に当る枕カバー（１５）の下面に枕カバー下用天昭石入り敷きパットを装着して、安眠中は天照石原料（７）から放射されるマイナスイオン、遠赤外線「育成光線」が首と首筋および肩に放射され、安眠中に体のリズムや健康維持に効果を発揮しスムーズな入眠と健康な朝の目覚めが得られる。
【図面の簡単な説明】
【０００７】
【図１】本考案の実施の形態に係る枕敷きシート本体を示す断面図から示す斜視図
【図２】本考案の実施の形態に係る拡大断面図
【図３】本考案の天昭石入り不織布本体を示す斜視図
【図４】本考案の実施の形態に係る天昭石入り不織布本体を示す斜視図
【図５】本考案の実施状態を示す写真から示す斜視図
【図６】本考案の使用状態を示す斜視図
【符号の説明】
【０００８】  １  枕敷きシート本体
２  天昭石入り不織布本体
３  縁取り布
４  不織布外縁シール部
５  不織布縦綴じシール部
６  不織布横綴じシール部
７  天照石原料
８  上部面布地
９  下部面布地
１０  上部面不織布地
１１  下部面不織布地
１２  縫い糸
１３  天昭石原料介在袋部
１４  枕
１５  枕カバー
【図１】
0003177853.tif 000003
【図２】
0003177853.tif 000004
【図３】
0003177853.tif 000005
【図４】
0003177853.tif 000006
【図５】
0003177853.tif 000007
【図６】
0003177853.tif 000008
【手続補正書】
【提出日】平成24年6月4日(2012.6.4)
【手続補正１】
【補正対象書類名】実用新案登録請求の範囲
【補正対象項目名】全文
【補正方法】変更
【補正の内容】
【実用新案登録請求の範囲】
【請求項１】
枕敷きシート本体に上部面布地及び下部面布地を設け、天昭石入り不織布本体に上部面不織布地及び下部面不織布地を設け、上部面不織布地と下部面不織布地の間に天照石原料を介在できる天昭石原料介在袋部を設けるように天照石原料を介在して不織布縦綴じシール部と不織布横綴じシール部を設け、天昭石原料介在袋部に天照石原料を介装するように設け、天昭石入り不織布木体の外周面には不織布外縁シール部を設け、枕敷きシート本体に設けた上部面布地及び下部面布地との間に天昭石入り不織布本体介在し、上部面布地及び下部面布地並びに天昭石入り不織布本体を重合し外周に縁取り布を設け係止するように縫い糸にて綴じるように縫い糸で縫成するように設け、複数の天昭石原料介在袋部に天照石原料を保持できるように装着した枕カバー下用天昭石入り敷きパット。
【請求項２】
枕敷きシート本体の形状並びに上部面布地及び下部面布地を覆っている生地および天昭石入り不織布本体の形状に備えた天昭石原料介在袋部の枠形状等は、長方形や円形および楕円形などの大小の形状枕に適合するように複数の形状種類を設け、枕敷きシート本体の大小の形状に備えた天照石原料を保持できるように天昭石原料介在袋部を装着したことを特徴とする請求項１記載の枕カバー下用天昭石入り敷きパット。
【請求項３】
天昭石入り不織布本体に設けた天昭石原料介在袋部は枕の形状により、天昭石の効果を減少することのないように天昭石原料介在袋部の形状の大小を設け、天照石原料の量は天昭石原料介在袋部の大小に介装して充填したことを特徴とする請求項１記載の枕カバー下用天昭石入り敷きパット。